(57)【要約】      （修正有）【課題】好適な埋込型ポンプおよびそのためのカニューレを提供する。【解決手段】埋込型ポンプ１００は、薬物貯留部１０８と、貯留部から液体を導通するためのカニューレ１２０と、貯留部からカニューレを通して液体を強制的に進めるための手段１１２、１２４、１３４と、カニューレ１２０を通って流れる液体に関する、少なくとも１つのパラメータを監視するためのセンサ１４８と、監視されたパラメータに基づいて、強制手段を調整するための回路１３２とを備える。【選択図】図１Ａ
2015163192.tif 000002
【特許請求の範囲】
【請求項１】
埋込型ポンプであって、
該ポンプは、
薬物貯留部と、
該貯留部から液体を導通するためのカニューレと、
該液体を該貯留部から該カニューレを通って流れるように強制的に進める手段と、
該ポンプの中の圧力を監視する１つ以上のセンサと、
該監視された圧力に基づいて、該強制手段を調整する回路と
を備え、
該強制手段は、
電解質チャンバと、
該チャンバと該貯留部とを分離し、その間に流体障壁を提供する拡張可能なダイヤフラムと、
該液体が該貯留部から該カニューレの中へ強制的に進められるように、該電解質チャンバの中でガスの発生を引き起こし、それにより、該ダイヤフラムを拡張させる電解用電極と
を備える、ポンプ。
【請求項２】
前記センサは、少なくとも部分的にパリレンから製造される、請求項１に記載のポンプ。
【請求項３】
前記センサは、前記カニューレに沿って走行する金属線を介して、前記回路に電気的に接続される、請求項１に記載のポンプ。
【請求項４】
前記回路は、前記カニューレを通して所定の用量の薬物を送達するようにプログラムされる、請求項１に記載のポンプ。
【請求項５】
前記圧力センサは、前記薬物貯留部の中か、または前記カニューレと前記薬物貯留部との間のインターフェースに近接して位置する、請求項１に記載のポンプ。
【請求項６】
前記圧力センサは、前記カニューレの先頭に位置する、請求項１に記載のポンプ。
【請求項７】
前記圧力センサは、前記カニューレの遠位端に位置して、標的部位において圧力を測定する、請求項１に記載のポンプ。
【請求項８】
前記回路は、さらに、前記標的部位における監視された圧力に基づいて、ポンプ操作を調整する、請求項７に記載のポンプ。
【請求項９】
前記圧力センサは、前記カニューレの内側にある、請求項７に記載のポンプ。
【請求項１０】
前記圧力センサは、前記カニューレの外側にある、請求項７に記載のポンプ。
【請求項１１】
前記回路は、値の範囲内の圧力値に基づいて前記強制手段を調整する、請求項１に記載のポンプ。
【請求項１２】
前記値の範囲は、圧力範囲を包含するか、該圧力範囲に対応し、前記ポンプは、該圧力範囲内で正常に機能し続ける、請求項１１に記載のポンプ。
【請求項１３】
前記回路は、圧力以外の測定されたパラメータおよび前記監視された圧力に対応するポンプ状態に基づいて、前記強制手段を調整する、請求項１に記載のポンプ。
【請求項１４】
前記圧力以外の測定されたパラメータは、流量パラメータまたは温度パラメータのうちの少なくとも１つを含む、請求項１３に記載のポンプ。
【請求項１５】
前記ポンプ状態は、前記監視された圧力と、前記圧力以外の測定されたパラメータと、それらの間の予期される関係とに基づいて決定される、請求項１３に記載のポンプ。
【請求項１６】
前記監視された圧力は、各センサからの圧力値、２つのセンサ間の圧力損失、または、前記回路により記録された現在および１つ以上の以前の用量間の圧力値の比較のうちの少なくとも１つを含む、請求項１３に記載のポンプ。
【請求項１７】
前記監視された圧力は、偽陽性を排除するために時間平均化される、請求項１６に記載のポンプ。
【請求項１８】
前記回路は、前記ポンプ状態に基づいて、送達される流体の容量および投薬スケジュールを調整する、請求項１３に記載のポンプ。
【請求項１９】
前記回路は、前記監視された圧力および前記ポンプ状態に基づいて、ポンプの機能不良を検出する、請求項１３に記載のポンプ。
【請求項２０】
前記液体の逆流を防止するための逆止弁をさらに備える、請求項１９に記載のポンプ。
【請求項２１】
前記ポンプの機能不良は、前記カニューレの漏洩、該カニューレの封鎖、前記逆止弁の故障、または前記強制手段の故障のうちの少なくとも１つを含む、請求項２０に記載のポンプ。
【発明の詳細な説明】
【技術分野】
【０００１】
（関連出願の相互参照）
本願は、米国仮特許出願第６１／０５１，４２２号（２００８年５月８日出願）、同第６１／１９７，７５１号（２００８年１０月３０日出願）、同第６１／１９７，７６９号（２００８年１０月３０日出願）、および同第６１／１９８，０９０号（２００８年１１月３日出願）の優先権および利益を主張し、それらの全体が本明細書に参考として援用される。
【０００２】
（発明の分野）
様々な実施形態において、本発明は、埋込型ポンプおよびかかるポンプ用のカニューレに関する。
【背景技術】
【０００３】
医学治療では、しばしば、患者の体の特定部分へ治療薬（例えば、薬剤、薬物）の投与が必要となる。患者がより長く生き、慢性および／または衰弱性の病気と診断されるときに起こりうる結果は、さらに多くのタンパク質治療、低分子薬物、および他の薬物療法を、患者の体中の標的領域へ配置する必要性の増大であろう。しかしながら、幾つかの病弊は、現在実行可能である療法で治療するのが困難であり、および／またはアクセスを達成するのが困難な解剖学的区域へ薬物の投与が必要である。
【０００４】
患者の目は、到達困難な解剖学的区域の主要な例であり、網膜色素変性症、加齢黄斑変性症（ＡＭＤ）、糖尿病性網膜症、および緑内症を含む、多くの視力を脅かす疾患は、現在実行可能である療法のうちの多くでは治療するのが困難である。例えば、経口薬は全身性副作用がある可能性があり、局所適用は刺すような痛みを伴い患者に低コンプライアンスを生じる場合もあり、注入には概して医療訪問が必要であり、痛むこともあり得、感染の危険性もあり、かつ持続放出性移植片は、通常、それらの供給が底をついた後に除去されなくてはならない（通常は臨床像に応じて用量を変更する、限定的能力が提供される）。
【０００５】
別の例は、乳癌または髄膜腫等の癌であり、ラパマイシン、ベバシズマブ（例えば、アバスチン）、またはイリノテカン（ＣＰＴ−１１）等、大容量の毒性の高い化学療法が、通常は患者の静脈内に投与され、標的領域の外側で数々の望ましくない副作用という結果となる場合がある。また別の例には、薬物がしばしば、変形性関節症等の疾患に対して、無血管性軟骨組織に貫入するのが困難である、膝への薬物送達がある。
【０００６】
補充可能な薬物貯留部、薬物を送達するためのカニューレ等を有し得る、埋込型薬物送達装置は、概して、指定の標的への水剤の制御された送達を可能にする。装置は、受動的に制御されるか、または能動的に制御されるかのいずれかであり得る。受動的に制御される装置では、薬物は、例えば、指で薬物貯留部を押す時に送り出される。能動的に制御される装置では、薬物は、例えば、定期的にまたは時間をかけて継続的に自動的に送り出され得る。いずれの場合も、薬物貯留部内の薬物が枯渇すると、装置が患者の体内に埋め込まれたままの間は、医師は、例えば注射器で貯留部を補充することができる。この方法により、埋め込みに必要な外科的切開を最小にし、通常は将来のまたは繰り返される侵襲的手術あるいは手技を避けることができる。
【０００７】
しかしながら、様々な困難は補充可能な薬物送達装置に関連付けられる。従来の薬物送達装置の１つの制限は、装置が、通常は装置内部の変化（例えば、故障、封鎖）、または薬物送達標的の変更に、動的に反応することができないことである。例えば、埋め込まれた装置の出口（例えば、カニューレの出口）での組織増殖が、流体の制限を生み出す場合がある。この場合、フィードバック制御のない受動的および能動的な薬物送達装置は、望ましい流速または用量の薬物を送達しないであろう。同様に、フィードバックなしでは、異なる製造過程のために、薬物送達装置に変形がある場合、異なる製剤が投与される場合等、温度変動が存在する中では、望ましい流速または用量が送達されない場合がある。
【０００８】
したがって、改良された埋込型薬物送達装置への必要性が存在する。
【発明の概要】
【課題を解決するための手段】
【０００９】
様々な実施形態において、本発明は、ポンプの内側および／または薬物送達標的の中に生じる変化に反応することができる、埋込型薬物送達ポンプを特徴とする。ポンプのこの能力は、その療法的価値を向上し、また患者の安全性も強化する。例えば、本願に記載するポンプの実施形態は、ポンプのカニューレを通して液体（例えば、薬物）流量を監視するための、１つ以上の流量センサを含む。例えば、流速が望ましい速度から逸脱した場合、ポンプ内の回路は是正措置を取り得る。代替としてまたは加えて、本願に記載するポンプは、ポンプの少なくとも一部分の圧力を監視するために、１つ以上の圧力センサを含み得る。必要であるかまたは望ましい場合、ポンプ内の回路は再び、監視された圧力に基づいてポンプ操作を調整し得る。様々な実施形態において、流量センサはポンプのカニューレ内に設置される。圧力センサも同じく配置されるか、またはポンプ内の他の場所に配置され得る。
【００１０】
様々な他の構成要素もまた、例えば、さらに患者の安全性を保証するために、ポンプのカニューレの中に存在し得る。例えば、カニューレは、そこを通して患者へ大きい粒子および起こり得る気泡が通過することを防止するフィルタ、ならびに／または標的部位からポンプの薬物貯留部への逆流を防止する逆止弁を含み得る。
【００１１】
概して、一側面において、本発明の実施形態は、薬物貯留部と、貯留部から液体を導通するためのカニューレと、貯留部からカニューレを通して液体を強制的に進めるための手段と、カニューレを通って流れる液体に関する、パラメータ（流速または圧力等）を監視するためのセンサと、監視されたパラメータに基づいて、強制手段を調整するための回路とを含む、埋込型ポンプを特徴とする。センサは、少なくとも部分的にパリレンから製造され得、カニューレに沿って走行する金属線を介して回路に電気的に接続され得る。
【００１２】
回路は、カニューレを通して所定の用量の薬物を送達するようにプログラムされ得、センサは、流量センサであり得る。例えば、流量センサは、熱流量センサであり得る。本願に従う熱流量センサは、ヒータおよび温度センサの両方として機能する、カニューレと物理的に関連付けられる単一要素を含み得る。代替として、熱流量センサは、カニューレと物理的に関連付けられる、ヒータおよび独立温度センサの両方を含み得る。温度センサは、ヒータの下流に位置し得る。また別の代替案において、熱流量センサは、全てカニューレと物理的に関連付けられる、ヒータと、第１および第２の温度センサとを含む。第１の温度センサは、ヒータの下流に位置し得、第２の温度センサは、ヒータの上流に位置し得る。
【００１３】
別の実施形態では、流量センサは飛行時間型センサである。飛行時間型センサは、両方ともカニューレと物理的に関連付けられる、ヒータおよび第１の温度センサを含み得る。第１の温度センサは、ヒータの下流に位置し得、回路は、（ｉ）電力の離散パルスをヒータに印加させ、（ｉｉ）第１の温度センサによる、ヒータによって加熱される液体の検出を引き起こし得る。ある場合には、第２の温度センサは、カニューレと物理的に関連付けられ、ヒータの上流に位置する。代替として、１つ以上の第２の温度センサは、カニューレと物理的に関連付けられ、ヒータの下流に位置し得る。
【００１４】
また別の実施形態では、飛行時間型センサは、全てカニューレと物理的に関連付けられる、２つの上流電極および２つの下流電極を含む。回路は、（ｉ）離散電圧パルスを２つの上流電極にわたって印加させ、（ｉｉ）２つの下流電極による、前記カニューレを通って流れる液体で生成される電気化学的パルスの検出を引き起こし得る。
【００１５】
また他の実施形態では、流量センサは、貯留部の中に圧力センサを、および／またはカニューレの中に１つ以上の圧力センサを含む。その上に、流量センサに加えて、ポンプはさらに、流動液体に近接しておらず、周囲温度の変動に対する補正を容易にする、温度センサを含み得る。
【００１６】
様々な実施形態において、強制手段は、電解質チャンバと、チャンバおよび薬物貯留部を分離し、その間に流体障壁を提供する、拡張可能なダイヤフラムと、液体が薬物貯留部からカニューレの中へ強制的に進められるように、電解質チャンバの中でガスの発生を引き起こし、それにより、ダイヤフラムを拡張させるための電解用電極とを含む。
【００１７】
代替として、または流量センサに加えて、圧力センサは、カニューレ内の圧力を監視するために含まれ得る。一実施形態において、圧力センサは、標的部位で圧力を測定するために、カニューレの遠位端（カニューレの内側または外側のいずれか）に位置する。次いで、回路は、標的部位で監視された圧力に基づいて、ポンプ操作を調整し得る。別の実施形態では、ポンプは、カニューレの中に逆止弁を含み、圧力センサは、カニューレの内側、および逆止弁の下流に位置する。また別の実施形態では、圧力センサは、薬物貯留部の中か、またはカニューレと薬物貯留部との間のインターフェースに近接して位置する。
【００１８】
圧力センサを含む実施形態はまた、カニューレを通して液体の流速を監視するための流量センサを含み得る。次いで、回路は、監視された圧力および／または監視された流量に基づいて、ポンプの機能不良を検出し得る。
【００１９】
概して、また別の側面において、本発明の実施形態は、埋込型ポンプ用のカニューレを特徴とする。カニューレは、そこを通るチャネルを有し、その遠位端で狭くなる、細長い本体と、その近位端で本体と一体化しているフィルタと、本体の近位端を埋込型ポンプの接続ポートに接続するための手段とを含み得る。フィルタは、チャネルの流量断面より大きい断面を有し得、それぞれが２μｍと同じくらいの高さを有する開口部を画定し得る。例えば、フィルタは、開口部を画定する、パリレン杭の配列を含み得る。
【００２０】
様々な実施形態において、カニューレはさらに、チャネル内の流体流を感知するための流量センサと、カニューレが挿入される部位で圧力を感知するための圧力センサと、細長い本体の遠位端へその外面上で連結される電気化学センサと、および／またはチャネルの中で流体の逆流を防止するための逆止弁とを含む。カニューレの細長い本体は、少なくとも部分的に、パリレンから製造され得、本体の少なくとも一部分は、シリコン構造によって包囲され得る。
【００２１】
一実施形態において、カニューレの逆止弁は通常は閉鎖され、逆止弁に印加される事前負荷力によって管理される、クラッキング圧力を有する。事前負荷力は、静止摩擦力（“ｓｔａｔｉｃ  ｆｒｉｃｔｉｏｎ”＝“ｓｔｉｃｔｉｏｎ”）と、逆止弁の２つの構成要素間の高さの差とによって引き起こされ得る。逆止弁は、少なくとも部分的に、パリレンの層から製造され得る。その上に、結合剤は逆止弁に塗布され得、および／または逆止弁は事前負荷力を維持するように、少なくとも１つのマイクロヒータを含み得る。
【００２２】
本願明細書は、例えば、以下の項目も提供する。
（項目１）
埋込型ポンプであって、
薬物貯留部と、
該貯留部から液体を導通するためのカニューレと、
該液体を該貯留部から該カニューレを通して強制的に進める手段と、
該カニューレを通って流れる液体に関する少なくとも１つのパラメータを監視するセンサと、
該監視されるパラメータに基づいて、該強制手段を調整する回路と
を備える、ポンプ。
（項目２）
前記強制手段は、
電解質チャンバと、
該チャンバと前記貯留部とを分離し、その間に流体障壁を提供する拡張可能なダイヤフラムと、
前記液体が該貯留部から前記カニューレの中へ強制的に進められるように、該電解質チャンバの中でガスの発生を引き起こし、それにより、該ダイヤフラムを拡張させる電解用電極と
を備える、項目１に記載のポンプ。
（項目３）
前記センサは、少なくとも部分的にパリレンから製造される、項目１に記載のポンプ。（項目４）
前記センサは、前記カニューレに沿って走行する金属線を介して、前記回路に電気的に接続される、項目１に記載のポンプ。
（項目５）
前記回路は、前記カニューレを通して所定の用量の薬物を送達するようにプログラムされる、項目１に記載のポンプ。
（項目６）
前記センサは、流量センサであり、前記パラメータは、前記液体の流速である、項目１に記載のポンプ。
（項目７）
前記流量センサは、熱流量センサである、項目６に記載のポンプ。
（項目８）
前記流量センサは、前記カニューレと物理的に関連付けられる単一要素を備え、該単一要素は、ヒータおよび温度センサの両方として機能する、項目７に記載のポンプ。
（項目９）
前記流量センサは、両方とも前記カニューレと物理的に関連付けられるヒータおよび温度センサを備え、該温度センサは、該ヒータの下流に位置する、項目７に記載のポンプ。
（項目１０）
前記流量センサは、全て前記カニューレと物理的に関連付けられる、ヒータと、第１および第２の温度センサとを備え、該第１の温度センサは、前記ヒータの下流に位置し、該第２の温度センサは、該ヒータの上流に位置する、項目７に記載のポンプ。
（項目１１）
前記流量センサは、飛行時間型センサである、項目６に記載のポンプ。
（項目１２）
前記流量センサは、両方とも前記カニューレと物理的に関連付けられる、ヒータおよび温度センサを備え、該温度センサは、該ヒータの下流に位置し、前記回路は、電力の離散パルスが該ヒータに印加されるようしに、該ヒータによって加熱された液体の該温度センサによる検出を引き起こす、項目１１に記載のポンプ。
（項目１３）
第２の温度センサをさらに備え、該第２の温度センサは、前記カニューレと物理的に関連付けられ、前記ヒータの上流に位置する、項目１２に記載のポンプ。
（項目１４）
少なくとも第２の温度センサをさらに備え、該少なくとも第２の温度センサは、前記カニューレと物理的に関連付けられ、前記ヒータの下流に位置する、項目１２に記載のポンプ。
（項目１５）
前記流量センサは、２つの上流電極および２つの下流電極を備え、該２つの上流電極および２つの下流電極は、各々、前記カニューレと物理的に関連付けられ、前記回路は、離散電圧パルスが該２つの上流電極にわたって印加されるようにし、該カニューレを通って流れる前記液体の中で生成される電気化学的パルスの該２つの下流電極による検出を引き起こす、項目１１に記載のポンプ。
（項目１６）
前記流用センサは、前記貯留部の中に圧力センサを備える、項目６に記載のポンプ。
（項目１７）
前記流量センサは、前記カニューレの中に少なくとも１つの圧力センサを備える、項目６に記載のポンプ。
（項目１８）
前記流動液体に近接していない温度センサをさらに備えて、周囲温度の変動に対する補正を容易にする、項目６に記載のポンプ。
（項目１９）
前記センサは、圧力センサであり、前記パラメータは、前記カニューレの中の圧力である、項目１に記載のポンプ。
（項目２０）
前記圧力センサは、前記カニューレの遠位端に位置して、標的部位において圧力を測定する、項目１９に記載のポンプ。
（項目２１）
前記回路は、前記標的部位における監視された圧力に基づいて、ポンプ操作を調整する、項目２０に記載のポンプ。
（項目２２）
前記圧力センサは、前記カニューレの内側にある、項目２０に記載のポンプ。
（項目２３）
前記圧力センサは、前記カニューレの外側にある、項目２０に記載のポンプ。
（項目２４）
前記カニューレの中に逆止弁をさらに備え、前記圧力センサは、該カニューレの内側であって該逆止弁の下流に位置する、項目１９に記載のポンプ。
（項目２５）
前記回路は、前記監視された圧力に基づいて、ポンプの機能不良を検出する、項目１９に記載のポンプ。
（項目２６）
前記圧力センサは、前記薬物貯留部の中か、または前記カニューレと前記薬物貯留部との間のインターフェースに近接して位置する、項目２５に記載のポンプ。
（項目２７）
前記液体の流速を監視する流量センサをさらに備える、項目１９に記載のポンプ。
（項目２８）
前記回路は、前記監視された圧力および流量に基づいて、ポンプの機能不良を検出する、項目２７に記載のポンプ。
（項目２９）
埋込型ポンプ用のカニューレであって、
自身を通るチャネルを有し、自身の遠位端において狭くなる細長い本体と、
自身の近位端において該本体と一体化しているフィルタであって、（ｉ）該チャネルの流量断面より大きい断面を有し、（ｉｉ）２μｍ以下の高さを各々が有する開口部を画定する、フィルタと、
該本体の該近位端を該埋込型ポンプの接続ポートに接続する手段と
を備える、カニューレ。
（項目３０）
前記チャネル内の流体流を感知する流量センサをさらに備える、項目２９に記載のカニューレ。
（項目３１）
前記カニューレが挿入される部位において圧力を感知する圧力センサをさらに備える、項目２９に記載のカニューレ。
（項目３２）
前記細長い本体の遠位端に連結される電気化学センサをさらに備える、項目２９に記載のカニューレ。
（項目３３）
前記電気化学センサは、前記細長い本体の外面上に設置される、項目３２に記載のカニューレ。
（項目３４）
前記チャネルの中での流体の逆流を防止するための逆止弁をさらに備える、項目２９に記載のカニューレ。
（項目３５）
前記逆止弁は、通常は閉鎖されており、該逆止弁のクラッキング圧力は、該逆止弁に印加される事前負荷力によって管理される、項目３４に記載のカニューレ。
（項目３６）
前記事前負荷力は、静止摩擦力と、前記逆止弁の２つの構成要素間の高さの差とによって引き起こされる、項目３５に記載のカニューレ。
（項目３７）
前記事前負荷力を維持するために、前記逆止弁に適用される結合剤をさらに備える、項目３６に記載のカニューレ。
（項目３８）
前記逆止弁は、前記事前負荷力を維持するために、少なくとも１つのマイクロヒータをさらに備える、項目３６に記載のカニューレ。
（項目３９）
前記逆止弁は、少なくとも部分的に、パリレンの層から製造される、項目３４に記載のカニューレ。
（項目４０）
前記細長い本体は、少なくとも部分的に、パリレンから製造される、項目２９に記載のカニューレ。
（項目４１）
前記細長い本体の少なくとも一部分を包囲する、シリコーン構造をさらに備える、項目２９に記載のカニューレ。
（項目４２）
前記フィルタは、前記開口部を画定する、パリレン杭の配列を備える、項目２９に記載のカニューレ。
これらおよび他の目的は、本願で開示する本発明の実施形態の利点および特徴に沿って、続く記載、添付の図面、および請求項を参照することで、より明らかになるであろう。さらに、本願に記載する様々な実施形態の特徴は、本願に明示していなくとも、互いに排他的であり、様々な組み合わせおよび置換においても存在することができることは理解されるものとする。
【図面の簡単な説明】
【００２３】
図面において、同様の参照符号は、概して、異なる図中でも同一部品を指す。また、図面は必ずしも正確な縮尺ではなく、概して本発明の原理を図示することに重点を置いている。続く記載では、本発明の様々な実施形態が、続く図面を参照して説明されている。
【図１Ａ】図１Ａは、本発明の一実施形態に従い、埋込型薬物送達ポンプを図式的に横断面で図示する。
【図１Ｂ】図１Ｂは、本発明の別の実施形態に従い、埋込型薬物送達装置を図式的に横断面で図示する。
【図２】図２Ａは、熱効果または飛行時間に基づいて動作する、流量センサの汎用実施形態を図式的に図示する。図２Ｂは、本発明の一実施形態に従う、容量性圧力感知ベースの流量センサを図式的に図示する。
【図３】図３−５は、本発明の様々な実施形態に従う、熱効果流量センサを図式的に図示する。
【図４】図３−５は、本発明の様々な実施形態に従う、熱効果流量センサを図式的に図示する。
【図５】図３−５は、本発明の様々な実施形態に従う、熱効果流量センサを図式的に図示する。
【図６】図６−９は、本発明の様々な実施形態に従う、飛行時間ベースの流量センサを図式的に図示する。
【図７】図６−９は、本発明の様々な実施形態に従う、飛行時間ベースの流量センサを図式的に図示する。
【図８】図６−９は、本発明の様々な実施形態に従う、飛行時間ベースの流量センサを図式的に図示する。
【図９】図６−９は、本発明の様々な実施形態に従う、飛行時間ベースの流量センサを図式的に図示する。
【図１０】図１０Ａおよび１０Ｂは、本発明の様々な実施形態に従う、圧力感知ベースの流量センサを図式的に図示する。
【図１１】図１１は、本発明の一実施形態に従い、埋込型薬物送達ポンプにおける、様々な圧力センサの配置を図式的に図示する。
【図１２】図１２は、正常な操作条件下での、通常の埋込型薬物送達ポンプ用のカニューレに渡る圧力損失と、そこを通る流体流量の速度との間の関係を図示するグラフである。
【図１３】図１３は、本発明の一実施形態に従う、カニューレの概略断面図である。
【図１４】図１４は、本発明の一実施形態に従い、その端部のうちの１つで統合されるフィルタを有する、カニューレの概略断面図である。
【図１５】図１５は、線Ａ−Ａに沿った、図１４に図示するフィルタの概略横断面図である。
【図１６】図１６は、本発明の一実施形態に従う、乾燥前の逆止弁の概略側断面図である。
【図１７】図１７は、乾燥後の図１６の逆止弁の概略側断面図である。
【図１８】図１８は、図１７の逆止弁の概略平面図である。
【図１９】図１９は、本発明の一実施形態に従い、バンドパス逆止弁を含むカニューレの概略断面図である。
【図２０】図２０Ａは、本発明の別の実施形態に従い、逆止弁を含むカニューレの概略平断面図である。図２０Ｂは、図２０Ａの逆止弁の概略平断面図である。図２０Ｃは、図２０Ａの逆止弁の概略側断面図である。
【図２１】図２１は、本発明のまた別の実施形態に従い、逆止弁を含むカニューレの概略断面図である。
【図２２】図２２は、本発明のまた別の実施形態に従い、逆止弁を含むカニューレの概略側断面図である。
【図２３】図２３は、本発明の一実施形態に従い、カニューレの遠位端に連結される電気化学センサを、図式的に図示する。
【発明を実施するための形態】
【００２４】
概して、本発明の実施形態は、例えば、患者の目または脳内といった患者の体内に埋め込み可能な薬物送達ポンプに関連する。ある実施形態では、埋込型薬物送達ポンプは、小型サイズおよび補充可能な薬物貯留部を兼ね備える。小型サイズは、薬物送達ポンプから患者への不快感を最小化する一方、補充可能な貯留部は、ポンプを交換しなくてはならない代わりに、原位置で補充することを可能にする。したがって、薬物の溶液等の流体を長期間にわたって患者へ供給することができる。
【００２５】
本発明の実施形態は、様々なタイプの埋込型薬物送達ポンプに関連して採用され得る。図１Ａおよび１Ｂは、患者の目１０４内に埋め込まれる、１つのかかる埋込型薬物送達ポンプ１００（すなわち、例示的電解質ポンプ１００）の２つの変形例を、図式的に図示している。しかしながら、ポンプ１００は代わりに、患者の体の他の部分に埋め込まれ得る。例えば、化学療法を提供するか、または脳への別のタイプの治療を提供する（例えば、脳の実質に直接投薬することによって）ために、脳のくも膜下空間に化学療法を提供するために、患者の体のいずれの部分の腫瘍の近くにインスリン放出を誘発するであろう薬剤（例えば、タンパク質、ウイルスベクタ）を提供するために、グルコースにあまり反応しない膵臓に、変形性関節症または軟骨疾患を治療するであろう薬物を提供するために膝に、鎮痛剤または抗炎症薬を提供するために脊椎の近くにか、あるいは、他の場所に埋め込まれ得る。図１Ａおよび１Ｂに図示する通り、ポンプ１００の実施形態は、２つの主要な構成要素、少なくとも部分的に壁１１５によって包囲されるチャンバ１０８、１１２の一対と、カニューレ１２０とを含み得る。図１Ａに図示する通り、チャンバ１０８、１１２を包囲する壁１１５は、独立型パリレンフィルム１１６と、比較的剛性がある生体適合材料（例えば、医療グレードのポリプロピレン）から成る、それを覆う別個の保護シェル１２８とを含むか、またはそれらから成り得る。代替として、図１Ｂに図示する通り、壁１１５は、パリレンでコーティングされ得る、保護シェル１２８にのみ相当し得る。上部チャンバ１０８は、患者を治療することに使用される時に、液体形状で投与される薬物を包含し得る、薬物貯留部を画定する。その部分に対して、底部チャンバ１１２は、電気分解に供される時に、ガス状生成物を放出する液体を包含し得る。例えば、その液体は、印加された電圧によって水素ガスおよび酸素ガスへ電解分離される場合がある、水であり得る。代替に、他の例として、電解液は、食塩水（すなわち、ＮａＣｌおよびＨ２Ｏ）、あるいは硫酸マグネシウムまたは硫酸ナトリウムのいずれかを包含する溶液であり得る。一実施形態では、２つのチャンバ１０８、１１２は、波形ダイヤフラム１２４によって分離される。言い換えると、ダイヤフラム１２４は、２つのチャンバ１０８、１１２の間に流体障壁を提供する。独立型フィルム１１６のように、ダイヤフラム１２４は、例えば、パリレンから構築され得る。
【００２６】
図１Ａに図示する通り、独立型フィルム１１６は、薬物貯留部１０８のための外側障壁として働いてもよく、保護シェル１２８は、フィルム１１６が圧力を行使する硬表面を提供し得る。かかる場合において、シェル１２８は、目、脳、または他の体液の動きを可能にするように穿孔し得る。代替として、図１Ｂに図示する通り、保護シェル１２８自体は、薬物貯留部１０８用の外側障壁として働き、非穿孔であり得る。図１Ａおよび１Ｂに図示する両方の実施形態では、保護シェル１２８により、外圧が薬物貯留部１０８上に行使されないように防止され得る。図１Ａに図示する通り、保護シェル１２８の底部部分１２６（すなわち、床１２６）は、縫合穴１３０を含み得る。同様に、図１Ａまたは図１Ｂのいずれにも示さないが、カニューレ１２０もまた、その側面に沿って縫合穴を含み得る。縫合穴１３０は、患者の体の中の定位置にポンプ１００を縫合（すなわち、固着）することに採用され得る。
【００２７】
また、図１Ａに図示する通り、ポンプ１００へ電力を提供し、それとともにデータ伝送を可能とするために、バッテリおよび制御回路１３２は、チャンバ１０８、１１２（すなわち、薬物貯留部１０８の独立型パリレンフィルム１１６の底部部分と、保護シェル１２８の床１２６との間）の下に包埋（例えば、密封されている）され得、導入コイル１３６は、保護シェル１２８の中に統合され得る（例えば、射出成形によって）。図１Ｂは、バッテリおよび従来の制御回路１３２を収容するための、気密性ケース１３５をより明確に図示しているが、便宜上、その中に収容される構成要素を図示していない。気密性ケース１３５は、生体適合金属（例えば、チタン）または金属合金から成り得る。気密性ケース１３５の底部は、平坦であり得るか、または埋込型ポンプ１００が患者の目１０４に嵌合することを助けるようにくぼんでいてもよい。
【００２８】
一実施形態において、導入コイル１３６は、外部装置（例えば、ハンドセット）との無線（例えば、無線周波数）通信を可能にする。ハンドセットは、ポンプ１００をプログラムするか、再プログラムするか、操作するか、較正するか、またはそうでなければ構成するために、制御回路１３２へ無線信号を送信することに使用され得る。一実施形態において、制御回路１３２は、電解質貯留部１１２の底部部分に及ぶ金属相互接続（ビア）１３８によって、電解質チャンバ１１２の中の電解用電極１３４と電気的に通信する。電解用電極１３４は、例えば、白金、金、および／または他の金属から成り得る。さらに以下に記載する通り、制御回路１３２はまた、以下に記載する閉ループ制御過程を含む、ポンプ１００のポンプ作用を制御する。
【００２９】
一実施形態において、図１Ａに図示する通り、カニューレ１２０は、投与の部位において挿入される逆止弁１４０に、薬物チャンバ１０８を接続する。代替として、または加えて、図１Ｂに図示する通り、逆止弁１４０は、カニューレ１２０の近位端（すなわち、薬物貯留部１０８に最も近い端部）と一体化し、そこに位置し得る。しかしながら、より一般的には、逆止弁１４０は、カニューレ１２０に沿ってどこかに位置し得る。加えて、カニューレ１２０を通る薬物の流量を監視し、それにより薬物容量の測定を可能にするための１つ以上の流量センサ１４４は、カニューレ１２０の１つ以上の近位、中間、または遠位部分と関連付けられ得る。随意に、図１Ａに図示する通り、圧力センサ１４８はまた、投与の部位（例えば、硝子体内チャンバ、肩関節包、膝関節包、脳室、脊柱管）で圧力を測定するために、カニューレ１２０の遠位端で（すなわち、薬物貯留部１０８から最も遠い端部で）統合され得る。一実施形態において、圧力センサ１４８は、薬物の流量が閉ループ制御過程によって計量され得るように、制御回路１３２へのフィードバックを提供する。例えば、薬物標的区域で増加する圧力は、ポンプ１００からの薬物の流量の減少を引き起こし得る。さらに、圧力センサ１４８は、カニューレ１２０に沿って統合されるか、または、例えば図１１を参照の上、以下に記載する通り、ポンプ１００の他のどこかに配置され得る。加えて、図１４および１５を参照の上、以下にさらに記載する通り、カニューレ１２０はまた、例えば、その近位端に、カニューレ１２０を通して投与の部位への、大型粒子および起こり得る気泡の通過を防止するフィルタを含み得る。
【００３０】
図１Ａに図示する通り、カニューレ１２０は、独立型パリレンフィルム１１６の延長であり得る。代替として、図１Ｂに図示する通り、カニューレ１２０は、保護シェル１２８に連結される別個の構成要素（例えば、パリレン構成要素）であり得る。例えば、カニューレ１２０の近位端は、保護シェル１２８の中に形成される流体接続ポートを通して挿入され、例えば、生体適合性エポキシ接着剤１５０によってそこへ結合され得る。シリコンシース１５４は、カニューレ１２０の一部分の周囲に配置され得る（図１Ｂ参照）がこれは任意である（図１Ａ参照）。
【００３１】
一実施形態において、図１Ａに図示する通り、注入口１５２は、薬物貯留部１０８とともに構築され、密封材（例えば、生体適合性エポキシ）１５６によって独立型フィルム１１６および保護シェル１２８に密封される。また別の実施形態では、図１Ｂに図示する通り、穴は、保護シェル１２８およびその中で特徴となる注入口１５２を通って形成され得る。また別の実施形態において、注入口１５２は、ポンプ１００上の他のどこかに形成され、チューブを通って薬物貯留部１０８に接続し得る。例えば、注入口１５２は、生体適合材料から成形され、気密性ケース１３５上の整合切痕に連結され、チューブを通して薬物貯留部１０８へ接続され得る。一実施形態において、チューブは、薬物貯留部１０８を包囲する壁の中に形成される流体接続ポートを通して挿入され、生体適合性エポキシ接着剤によってそこへ結合される。いずれの場合でも、注入口１５２は、薬物貯留部１０８と流体連通し、ポンプ１００の操作者（例えば、医師）が、原位置で薬物貯留部１０８を補充することが可能になる（例えば、ポンプ１００が患者の目１０４内に埋め込まれている間に）。概して、薬物貯留部１０８は、注入口１５２の中へおよびそこを通して補充針を挿入することによって、補充することができる。
【００３２】
様々な実施形態では、ポンプ１００の主要部品（すなわち、チャンバ１０８、１１２の一対およびカニューレ１２０）は、複数のパリレン層過程を使用する、モノリシックマイクロ加工および統合を受け入れられる。注入口１５２、保護シェル１２８、および他の構成要素は、マイクロ加工ステップの後、ポンプ１００とともに構築され得る。
【００３３】
操作では、電流が電解用電極１３４へ供給される時に、電解質は、波形ダイヤフラム１２４を拡張し（すなわち、図１Ａおよび１Ｂではダイヤフラム１２４を上へ移動させ）、液体（例えば、薬物）を薬物貯留部１０８から、カニューレ１２０の中へおよびそこを通して、その遠位端の外側から、投与の標的部位へと導通させ、ガスを放出する。拡張可能なダイヤフラム１２４の中の襞または他の折り目は、ダイヤフラム１２４が弛緩する時に、薬物貯留部１０８内の容量を犠牲にすることなく、大きく拡張することを可能にする。電流が止められる時は、電解ガスがその液体状態に戻って凝縮し、ダイヤフラム１２４はその空間効率の高い襞を回復させる。
【００３４】
（Ａ．流量センサ）
本願に記載する通り、熱効果、飛行時間、および／または圧力に基づく流量センサを含む、幾つかの流量センサ１４４のうちのいずれも、埋込型ポンプ１００の中で使用され得る。概して、流量センサ１４４はカニューレ１２０内に配置され、図１Ａおよび１Ｂに図示する通り、カニューレ１２０内の流体流を感知するために採用される。
【００３５】
一実施形態において、流量センサ１４４は、少なくとも部分的に、生体適合性の薄膜ポリマーである、パリレンから製作される。有利なことに、これによって、流量センサ１４４を、パリレンベースの薬物ポンプ１００の中へ完全に統合することが可能になる。パリレンベースのカニューレ１２０の一部分を図示する、図２Ａを参照すると、熱効果および飛行時間に基づくセンサ１４４はまた、カニューレ１２０のパリレン流体チャネル１６０の中に包埋される、薄膜金属元素１５８を含み得る。さらに以下に記載する通り、これらの薄膜金属元素１５８は、ヒータおよび抵抗温度装置（“ＲＴＤ”）等の装置を生み出すことに使用することができる。
【００３６】
圧力感知に基づく流量センサ１４４は、様々な手段のうちのいずれにおいても機能することができる。例えば、当業者には既知である他の技術のうち、容量性技術、ピエゾ抵抗技術、および圧電技術は、全て長所を引き立てるように採用され得る。カニューレ１２０の流れチャネル１６０内に設置される、パリレンベースの容量性圧力センサ１４４の例が、図２Ｂに示されている。図中、流量センサ１４４は、２つの容量性プレートまたは膜１６８Ａ、１６８Ｂ間に封入された空気チャンバ１６４を含む。膜１６８Ａ、１６８Ｂは、例えば、パリレン／金属複合材から製造され得る。封入された空気チャンバ１６４は、密閉されるか、または気圧へ放出されるかのいずれかであってよい。次いで、センサ１４４より上の圧力の増加（チャネル１６０の中の流速の増加のため）により、上膜１６８Ａが下へ曲げられ、上膜および底膜１６８Ａ、１６８Ｂ間の静電容量の変化が登録される。同様に、センサ１４４より上の圧力の減少（チャネル１６０の中の流速の減少のため）により、上膜１６８Ａが上へ曲げられ、再び上膜および底膜１６８Ａ、１６８Ｂ間の静電容量の変化が登録される。
【００３７】
パリレンが、体液、またはカニューレ１２０のチャネル１６０を通して流れる薬物と接触する唯一の材料であることが望ましい場合もある（例えば、生体適合性を確実にし、また薄膜金属元素１５８および金属電極１６８Ａ、１６８Ｂを時間とともに進む分解から保護するため）。したがって、図２Ａおよび２Ｂに図示する通り、センサ１４４は、１つ以上のパリレン層１７２内に被包され得る。加えて、全体構造を強化し、機械的損傷を防止するために、センサ１４４はまた、生体適合性シリコンまたはエポキシ内に被包され得る。
【００３８】
概して、流量センサ１４４は、ポンプ１００の制御回路１３２（図１Ａ参照）に連動する。制御回路１３２は通常、プリント基板（“ＰＣＢ”）上に実装され、流量センサ１４４から制御回路１３２までの金属トレースは、カニューレ１２０の流体チャネル１６０と平行に走行し得る。回路１３２との実際の相互接続で、金属を被覆するパリレン層１７２は、エッチング除去（ｅｔｃｈｅｄ  ａｗａｙ）され得る。次いで、曝露された金属パッドは、導通性エポキシ、半田、または別の適切な結合剤を使用して、ＰＣＢに結合され得る。
【００３９】
（Ａ．１．熱流量センサ）
一実施形態において、熱流量センサ１４４は、センサ１４４に近接して流れる流体を局所的に加熱するように、抵抗ヒータを使用する。次いで、さらに以下で説明する通り、１つ以上の微小ＲＴＤを使用して測定することができる、流動流体の温度は、流速の表示を提供する。１つ以上のＲＴＤはヒータに隣接できるか、またはある場合には、ヒータ自体が同時にＲＴＤとして使用することができるかのいずれかである。
【００４０】
（Ａ．１．ａ．単一ヒータ型熱流量センサ）
図３を参照すると、熱流量センサ１４４の本構成には、カニューレ１２０と物理的に関連付けられる単一ヒータ（図３および続く図のうちの幾つかには“Ｈ”と示されている）のみがある。図中、ヒータはまた、温度センサとしても使用される。ヒータは、定電力または定電流のいずれかを使用して、制御回路１３２によって駆動され得る。次いで、ヒータにわたる電圧降下は流速を示す。より具体的には、増加する流量がより迅速に熱を奪うことによって、加熱コイルの効率的な抵抗を低減させるため、ヒータにわたる電圧降下は、流体チャネル１６０を通して流速が増加するにつれ、減少する。図示されないが、流体チャネル１６０の外側（例えば、カニューレ１２０の外側で、流動流体から離れている）の別の温度センサは、周囲温度の変動を補正するように、制御回路１３２によって使用され得る。
【００４１】
（Ａ．１．ｂ．単一ヒータ単一温度センサ型熱流量センサ）
図４を参照すると、熱流量センサ１４４の本構成には、１つのヒータ（Ｈ）、およびヒータの下流に設置される単一温度センサ（図４および続く図のうちの幾つかには“ＴＳ１”と示されている）がある。本実施形態において、制御回路１３２は、ヒータを過ぎて流れる流体を加熱するために、上流のヒータへ電力を印加し、下流温度センサによって感知される温度は、徐々により早くなる前方への流速とともに増加する。より具体的には、チャネル１６０の中を流れる流体に対して、徐々により早くなる前方への流速で、加熱された流体は、下流温度センサに到達する前に、熱を消散する時間をほとんど有さない。再び図示しないものの、流体チャネル１６０の外側（例えば、カニューレ１２０の外側で、流動流体から離れている）の別の温度センサは、周囲温度の変動を補正するように、制御回路１３２によって使用され得る。
【００４２】
（Ａ．１．ｃ．単一ヒータ二重温度センサ型熱流量センサ）
図５を参照すると、熱流量センサ１４４の本構成には、単一ヒータ（Ｈ）と、ヒータの下流に設置される第１の温度センサ（ＴＳ１）と、ヒータの上流に設置される第２の温度センサ（図５および続く図のうちの幾つかには“ＴＳ２”と示されている）とがある。また再び、回路１３２はヒータに電力を印加する。２つの温度センサの使用は、方向性流量感知を可能にする。例えば、前方流（すなわち、図５に図示する流れの矢印１７６の方向に流れる）とともに、下流温度センサＴＳ１によって測定される温度は増加するであろう一方、上流温度センサＴＳ２によって測定される温度は減少するであろう。反対の流れ（すなわち、流れの矢印１７６の方向とは反対の方向に流れる）に対して、その逆も正しい。加えて、図示しないものの、流体チャネル１６０の外側（例えば、カニューレ１２０の外側で、流動流体から離れている）の別の温度センサは、周囲温度の変動を補正するように、制御回路１３２によって使用され得る。
【００４３】
代替として、２つの温度センサの温度を個々に測定するのではなく、図５に示す構成を使用して、制御回路１３２が代わりに、流速を算出するために２つのセンサ間の差温を測定し得る。より具体的には、第１の温度センサＴＳ１が第２の温度センサＴＳ２より高い温度を測定した場合、流体は流れの矢印１７６の方向に流れている。逆も正しい場合、そのとき流体は、流れの矢印１７６の方向とは反対の方向に流れている。徐々により早くなる流速に対して、差温の測定値は増加する。ヒータ以外の手段により引き起こされる周囲温度の変化が、ほぼ同じように両方の温度センサに影響を与え、それゆえ相殺されるであろうため、差温の測定値は、流速の測定値に対してより優れた感度を示すことができる。
【００４４】
図３−５に図示する実施形態のそれぞれにおけるヒータ（Ｈ）は、継続的に動作し得、または代替として、制御回路１３２によってパルスで動かされ得る。ヒータおよび温度センサの両方が、流量測定の間に機能している必要はないため、ヒータをパルスで動かすことは、省電力につながる場合がある。例えば、図５を参照すると、制御回路１３２は、周囲より略１０℃上の温度まで戻すために、略２０ｍｓの間ヒータに電力のパルスを印加し得る。次いで、下流および上流温度センサＴＳ１、ＴＳ２間の差温は、熱パルスの開始から始まり、略６０ｍｓ以上にわたり平均化され得る。この平均差温は、その後、カニューレ１２０のチャネル１６０を通る流速に、直接相関し得る。
【００４５】
（Ａ．２．飛行時間型流量センサ）
一実施形態において、飛行時間型流量センサ１４４は、カニューレ１２０のチャネル１６０内を流れる流体にトレーサパルスを生成し、このパルスがある距離を横断することに要する時間を測定する。この測定された時間は“飛行時間”として定義され、体積流量と言い換えら得る、線形流体速度に相当する。以下に記載する実施形態の幾つかは、トレーサとして加熱された液体のパルスを使用する。これらの実施形態において、前述同様に、加熱された液体のパルスは、微小ＲＴＤを使用して検出することができる。飛行時間の大きさは、ヒータおよび温度センサの間隔だけでなく、流体チャネル１６０の寸法にも依存する。以下に記載する別の実施形態では、電気化学的パルスはトレーサとして採用される。本実施形態において、一対の電極が電気化学的パルスを検出することに使用され得る。
【００４６】
（Ａ．２．ａ．単一下流温度センサ付き単一ヒータ飛行時間型流量センサ）
図６を参照すると、飛行時間型流量センサ１４４の本構成には、単一ヒータ（Ｈ）、およびヒータの下流に設置される単一温度センサ（ＴＳ１）がある。制御回路１３２は、電力の離散パルスを上流ヒータに印加させ得る。次いでヒータは、熱のパルスを、ヒータに近接するカニューレ１２０のチャネル１６０の中を流れる流体へ伝達し得る。加熱された流体のこのパルスは下流に移動すると、下流温度センサによって検出される。パルス生成の時間と、加熱された流体の下流での検出の時間との間の遅延が、飛行時間である。流量が増加すると、飛行時間は減少する。
【００４７】
（Ａ．２．ｂ．下流および上流温度センサ付き単一ヒータ飛行時間型流量センサ）
図７を参照すると、飛行時間型流量センサ１４４の本構成には、単一ヒータ（Ｈ）と、ヒータの下流に設置される第１の温度センサ（ＴＳ１）と、ヒータの上流に設置される第２の温度センサ（ＴＳ２）とがある。その上、制御回路１３２は、電力の離散パルスを上流ヒータに印加させてもよい。次いで、２つの温度センサは、流体の加熱されたパルスを検出することに使用され得る。より具体的には、２つの温度センサの使用は、双方向性流量感知能力を可能にする。前方流（すなわち、流れの矢印１７６の方向に流れる）に対しては、下流温度センサが熱パルスを検出するであろう一方で、上流センサは検出しないであろう。反対の流れ（すなわち、流れの矢印１７６の方向とは反対の方向に流れる）に対して、その逆も正しい。
【００４８】
加えて、独立して２つの温度センサで信号を測定するほかに、制御回路１３２は代わりに、２つの間の差分信号を測定し得る。これにより、トレーサパルスが引き起こしたのではない温度変動を排除することによって、流れの方向のより正確な検出、およびそのための飛行時間が生じ得る（例えば、トレーサパルスによる以外で引き起こされた周囲温度変動は、各温度センサに平等に影響を与え、それにより相殺されるべきである）。
【００４９】
（Ａ．２．ｃ．複数の下流温度センサ付き単一ヒータ飛行時間型流量センサ）
図８を参照すると、飛行時間型流量センサ１４４の本構成には、単一ヒータ（Ｈ）、およびヒータの下流に設置される２つ（ＴＳ１、ＴＳ２）以上の温度センサがある。またその上、制御回路１３２は電力の離散パルスをヒータに印加させてもよい。その結果生じる流体の熱パルスが、流れの矢印１７６の方向に下流へ移動すると、第１の温度センサＴＳ１、次いで第２のＴＳ２によって最初に検出される。電力のパルスの生成と、個別の下流温度センサによって加熱された結果生じた流体パルスの検出との間の遅延時間のそれぞれは、流速の表示として使用することができる。加えて、第１の温度センサを通過し、次いで第２の温度センサを通過する熱パルス間の遅延時間もまた、流速を判定することに使用することができる。また、複数の下流温度センサの使用は、ヒータにより近い温度センサが、より遅い流速により適している一方で（さらに下流のセンサに到達する前に、熱パルスが流体から消散する場合もあるため）、さらに下流の温度センサはより早い流速により適しているため（さらに下流のセンサに到達した時に、熱パルスは依然として、流体の中に存在しがちであろうため）、流量センサの範囲を延長することを可能にする。
【００５０】
（Ａ．２．ｄ．電気化学的パルスを採用する飛行時間型流量センサ）
図９を参照すると、飛行時間型流量センサ１４４の本構成には、２つの上流電極１７４Ａ、１７４Ｂ、および２つの下流電極１７８Ａ、１７８Ｂがある。電極１７４Ａ、１７４Ｂ、１７８Ａ、１７８Ｂのそれぞれは、カニューレ１２０のチャネル１６０の中に流れる流体と接触し得る。本実施形態では、制御回路１３２は、２つの上流電極１７４Ａ、１７４Ｂを使用して、流体に電気化学的パルスを生み出し得る。より具体的には、離散電圧パルスは、これらの電極１７４Ａ、１７４Ｂに近接する流体を電気化学的に変化させるように、上流電極１７４Ａ、１７４Ｂにわたって印加され得る。概して、これらの電気化学的変化は、流体のイオン濃度またはｐＨの小さな変化である。次いで電気化学的パルスは、流体流動とともに下流へ移動し、２つの下流電極１７８Ａ、１７８Ｂによって検出され得る。特に、制御回路１３２は、下流電極１７８Ａ、１７８Ｂにわたりインピーダンスを測定し得る。一実施形態において、電気分解を防止するために、ＡＣインピーダンス測定が使用される。インピーダンスの変化は電気化学的パルスの存在を示唆する。パルス生成の時間と、電気化学的パルスの下流検出との間の遅延が、遅行時間である。その上、流量が増加すると、飛行時間は減少する。
【００５１】
（Ａ．３．圧力ベースの流量センサ）
圧力ベースの流量センサ１４４は、流体システムの主要地点で圧力を測定し、それによりカニューレ１２０を通る流体流速を推定するように、埋込型ポンプ１００の様々な場所で採用され得る。より具体的には、例えば、眼球の薬物ポンプ１００で遭遇する流動様式は、通常層状である。したがって、測定された圧力および流体流速の間には、よく理解されているほぼ線形（すなわち、正比例）関係がある。
【００５２】
（Ａ．３．ａ．薬物貯留部の中の圧力ベースの流量センサ）
図１０Ａを参照すると、本構成には、単一の圧力ベースの流量センサ１４４が薬物貯留部１０８内部に位置している。例えば、図１Ａおよび１Ｂに戻って参照すると、圧力センサ１４４は、カニューレ１２０の進入地点よりちょうど前の、薬物貯留部１０８の床と一体化し得る。カニューレ１２０を通る流れが層状であるため、薬物貯留部１０８で測定される圧力は、カニューレ１２０の拍出時の圧力は変化しないと推定され、カニューレ１２０を通る流体流速に正比例するであろう。より具体的には、薬物貯留部１０８内部で測定されたより高い圧力は、カニューレ１２０を通るより速い流体流速を示し、薬物貯留部１０８内部で測定されたより低い圧力は、カニューレ１２０を通るより遅い流体流速を示している。
【００５３】
（Ａ．３．ｂ．薬物貯留部およびカニューレの中の圧力ベースの流量センサ）
図１０Ｂを参照すると、本構成では、第１の圧力ベースの流量センサ１４４Ａは、カニューレ１２０の先頭（すなわち、進入地点のちょうど外側）に位置し、第２の圧力ベースの流量センサ１４４Ｂは、カニューレ１２０の端部か、またはカニューレ１２０の長さ内のいずれかに位置する。例えば、図１０Ｂに図示する通り、第１の圧力センサ１４４Ａは、カニューレ１２０の進入地点よりちょうど前の薬物貯留部１０８内部に位置し、第２の圧力センサ１４４Ｂは、カニューレ１２０の長さのほぼ中間に位置する。その上、カニューレ１２０を通る流れが層状であるため、２つの圧力センサ１４４Ａ、１４４Ｂによって測定される圧力の差は、図１２を参照の上、以下にさらに記載する通り、カニューレ１２０を通る流体流速に正比例するであろう。有利なことに、本構成では、差圧とカニューレ１２０を通る流体流速との間の関係は、カニューレ１２０の出口の圧力によって影響を受けない。
【００５４】
（Ａ．４．測定された流速への反応）
測定された流速に応じて、薬物の正しい容量が、時間とともにカニューレ１２０のチャネル１６０を通して送達されることを確実にするために、制御回路１３２は是正措置を取ってもよい。例えば、制御回路１３２が、薬物のより速い流速が必要であると判定した場合、電解質チャンバ１１２の中により大きいガスを発生させ、それによりさらにダイヤフラム１２４を拡張し、カニューレ１２０を通る流体流速を増加させるように、電解用電極１３４への電流を増加させてもよい。代替として、制御回路１３２が、より低速の薬物が必要であると判定した場合、電解質チャンバ１１２の中により少ないガスを発生させ、それによりダイヤフラム１２４の中の拡張を少なくし、カニューレ１２０を通る流体流速を減少させるように、電解用電極１３４への電流を減少させてもよい。ポンプ１００が採用される特定の用途によって、カニューレ１２０を通って流れる流体の流速要件は、ｎＬ／ｍｉｎからμＬ／ｍｉｎの流量の規模を範囲とし得る。
【００５５】
（Ｂ．圧力センサ）
別の側面において、本発明の実施形態は、薬物標的領域およびポンプ１００の健全度を監視するための、埋込型薬物ポンプ１００の中の１つ以上の圧力センサ１４８の配置に関連する。例えば、図１１を参照すると、１つ以上の圧力センサ１４８は、監視するために、薬物貯留部１０８の中か、カニューレ１２０内部か、または両方の領域に同時に配置され得る。それぞれの場合に、ポンプ１００内の制御回路１３２は、圧力データを受容し（例えば、それぞれの圧力センサ１４８を制御回路１３２と接続させる金属トレースを介して）、処理することができる。加えて、圧力データに基づいて、制御回路１３２は、余剰圧力を避け、最適圧力または圧力範囲を維持し、ポンプ１００の故障の場合の患者への害を防止し、および／あるいは環境の変化か、薬物投与計画または解剖学的標的の変更かを補正するように、ポンプ１００の操作を調整することができる。図１１にさらに図示する通り、ポンプ１００のカニューレ１２０はまた、本願に記載の１つ以上の逆止弁１４０および流量センサ１４４を包含し得る。
【００５６】
（Ｂ．１．標的部位の監視）
カニューレ１２０の中または上に位置する圧力センサ１４８は、注入部位の局所圧力を測定し監視することに使用することができる。例えば、点滴の間、注入部位圧力の情報が必要な場合、そのとき圧力センサ１４８は、２つの場所、（ｉ）カニューレ１２０内部で、その遠位先端（図１１の圧力センサ１４８Ｃの配置により図示する通り）、または（ｉｉ）カニューレ１２０外部で、その遠位先端（図１１の圧力センサ１４８Ｂの配置により図示する通り）のうちのいずれかに配置されることができる。有利なことに、カニューレ１２０の遠位先端にある圧力センサ１４８Ｂ、１４８Ｃの配置により、カニューレ１２０内部の流量に関連する圧力損失が圧力値のエラーを引き起こすのが防止される。
【００５７】
一方、埋込型ポンプ１００がオフ状態の時に、注入部位圧力の情報のみが必要な場合、そのときセンサ１４８は、（ｉ）カニューレ１２０内部で、逆止弁１４０の下流（図１１の圧力センサ１４８Ｃおよび１４８Ｄの配置により図示する通り）、または（ｉｉ）カニューレ１２０外部で、その遠位先端（図１１の圧力センサ１４８Ｂの配置により図示する通り）に配置することができる。逆止弁１４０の前への圧力センサ１４８の配置（図１１の圧力センサ１４８Ａの配置により図示する通り）は、薬物貯留部１０８で圧力の測定を提供することができる。
【００５８】
上述の通り、圧力センサ値は、ポンプ１００による反応を誘発するように、制御回路１３２によって使用され得る。例えば、緑内症薬物療法を包含する眼球の薬物送達ポンプ１００に対して、ポンプ１００は、眼圧（ＩＯＰ）がある値を超過した場合には、ＩＯＰを減少する薬物の計算された容量を送達するように起動し得る。圧力測定値は、偽陽性（例えば、目に印加される外圧、くしゃみ、膝の屈曲など）の可能性を排除するために、回路１３２によって時間平均化され得る。ＩＰＯのその後の低下は、また、圧力センサ１４８によって監視され得る。かかる構成は、特に、薬物がすぐにＩＯＰスパイク上に送達される、急性の場合に好適である。圧力を数日間にわたって監視する慢性の場合には、投薬スケジュールおよびポンプ１００によって送達される薬物の容量は、最適の療法値に対して、圧力データに基づいて変わり得る。
【００５９】
（Ｂ．２．ポンプの健全性の監視）
薬物貯留部１０８内および／またはカニューレ１２０内部に位置する圧力センサ１４８はまた、ポンプ１００の健全性を監視するように（例えば、ポンプ１００の機能不良を検出するように）、制御回路１３２によって使用され得る。制御回路１３２も、圧力センサ１４８からのデータのみを考慮することによって、または代替として、１つ以上のより早くに記載した流量センサ１４４からの値と連動する、圧力センサ１４８からの圧力データを分析することによって、使用され得る。
【００６０】
同時に、圧力および流量センサ１４８、１４４は、複数地点の故障検出システムを形成する。より具体的には、図１２を参照すると、通常操作条件下では、カニューレ１２０にわたる圧力損失（図１１においてΔＰ＝Ｐ１−Ｐ２、またはＰ１−Ｐ３、またはＰ１−Ｐ４）は、流量センサ１４０によって測定される通り、カニューレ１２０を通る流速（Ｑ）との既知の関係に従うであろう。この関係は、関数Ｑ通常（ΔＰ）として表すことができる。ポンプ１００の出口での圧力の大きさが、ポンプ１００内部の圧力より著しく小さい状況では、薬物貯留部１０８内部の圧力センサ１４８Ａのみが必要とされることにも留意すべきである。この場合には、ΔＰ≒Ｐ１（図１１参照）である。
【００６１】
予期される関係（Ｑ通常（ΔＰ））からのいずれの偏差は、概して、１つ以上のポンプの構成要素の問題を示唆する。その間ポンプ１００が正常に機能し続ける、ポンプ状態の容認可能な範囲を確定することは可能である。例えば、図１２は、何が容認可能なポンプ状態を構成するかを図示している。一方で、容認できないポンプ状態（すなわち、Ｑ通常（ΔＰ）線のそれぞれの側面に対して許容可能な範囲を越えた状態）はポンプ１００に行為を誘発するべきである。ポンプの制御回路１３２によって実装され得る、これらの行為は、患者および／または医師へ、ポンプの機能不良ならびに／あるいはポンプ１００をスタンバイモードに置いていることについて通知するステップを含み得る。通知は、可聴音、またはポンプ１００の中に内蔵される光信号システムによって、携帯用装置へ、上記の通り無線伝送を介して行われ得る。
【００６２】
ポンプ状態を既知の関数（Ｑ通常（ΔＰ））と比較する以外に別の方法は、制御回路１３２が、以前の用量に対して、制御回路１３２によって記録されたポンプ状態へ進行中である投与量間の、時変ポンプ状態を比較することである。かかる場合には、いずれの著しい偏差は、何かが、ポンプ１００の普通の状態から外れ、ポンプ１００をスタンバイモードへ置き、および／または患者／医師に通知する理由を提供することを示唆している。
【００６３】
例示の目的のため、幾つかの可能性のある故障およびそれらの検出を、ここに記載する。
【００６４】
（Ｂ．２．ａ．カニューレの漏洩）
カニューレ１２０に漏洩が存在する場合、流量センサ１４４によって測定される流速は、測定される圧力差を与えられた予定値よりも低いであろう。
【００６５】
（Ｂ．２．ｂ．カニューレの封鎖）
カニューレ１２０の内部または出口に封鎖があった場合、流量センサ１４４によって測定される流速は、測定される圧力差を与えられた予定値よりも低いであろう。
【００６６】
（Ｂ．２．ｃ．逆止弁の故障）
逆止弁１４０が閉鎖位置で行き詰った場合、流量センサ１４４は、逆止弁のクラッキング圧力を超過する圧力においてさえ、いずれの流量も登録しないであろう。反対に、逆止弁１４０が開放位置で行き詰った場合、流量センサ１４４は、非常に低い圧力おいてさえ、流速を登録するであろう。
【００６７】
（Ｂ．２．ｄ．ポンプのアクチュエータの故障）
ポンプ１００が発動している（例えば、電解質チャンバ１１２の中の電解用電極１３４の操作によって）が、薬物貯留部１０８には圧力の増加もなく、登録された流量もない場合、そのときポンプのアクチュエータの問題が示唆される。同様に、ポンプ１００が高速で駆動されており、差圧（ΔＰ）および／または流速の予想より低い増加がある場合、これもまた、ポンプのアクチュエータの問題の可能性を示唆している。
【００６８】
もちろん、複数の圧力および／流量センサ１４８、１４４によってさえ、全ての可能性のある故障メカニズムを区別するのは、依然困難である場合がある。しかしながら、これは通常、問題の存在であるため、実用的観点からは重要ではない場合があり、すなわち、問題は、その正確な性質より一層重要である、受け入れられる範囲を越えて、いずれのポンプ状態から推論され得る。
【００６９】
（Ｃ．カニューレ用フィルタ、逆止弁、および電気化学センサ）
本願に記載の通り、カニューレ１２０は、薬物送達ポンプ１００の多機能構成要素であり得る。既に記載した通り、統合型流量センサ１４４および／または圧力センサ１４８を含み得る。カニューレ１２０が特徴とし得る、さらなる統合型機能構成要素は、大型粒子および発生し得る気泡が、カニューレ１２０を通して投与の部位（例えば、患者の目１０４）へと通過することを防止するフィルタと、流体が標的部位からカニューレのチャネル１６０の中へ逆流することを防止する逆止弁１４０と、その遠位端にあるカニューレ１２０の外側の電気化学センサ３１２（図２３参照）とを含む。
【００７０】
図１３は、本発明の一実施形態に従う、カニューレ１２０の概略断面図を図示している。図示する通り、本実施形態では、カニューレ１２０は、そこを通ってチャネル１６０を画定する細長い本体１８０を含む。本体１８０およびチャネル１６０のそれぞれは、その遠位端１８４に向かって狭くなる。カニューレ１２０の小さい直径の挿入先端部は、標的区域（例えば、患者の目１０４）への外科的損傷を減少することに役立つ。前に言及した通り、カニューレ１２０の細長い本体１８０は、パリレンを含むか、または基本的にパリレンから成り得る。その上、図１Ｂを参照して述べる通り（便宜上、図１３には図示していないが）、シリコン（例えば、シリコンシース１５４、シリコンコーティング）は、保護層を提供するために、少なくとも一部分のカニューレのパリレン本体１８０を包囲し得る。
【００７１】
一実施形態において、チャネル１６０の内幅は略１００μｍであり、細長い本体１８０の総幅ｗは略４００μｍである。このように、チャネル幅は、１つ以上の流量センサ１４０、圧力センサ１４８、および／または逆止弁１４０の統合を容易にすることに十分大きい。本体１８０の縁は、前述の通り（例えば、２つのパリレン層によって、本体１８０の縁上に蒸着される密封される、導通性のトレースを使用して）、それぞれの流量、圧力、および／または電気化学センサ１４４、１４８、３１２から制御回路１３２までの経路を選択するために使用され得る。一実施形態において、カニューレ１２０の遠位部分１８４では、チャネル１６０の内幅は、略２０μｍ−５０μｍに収縮する一方、細長い本体１８０の幅は略１００μｍ周辺まで収縮する。
【００７２】
（Ｃ．１．カニューレ用フィルタ）
小さい気泡は、注入口１５２を通して埋込型薬物送達ポンプ１００を充填または補充する間に、薬物貯留部１０８の中へ導入され得るか、あるいは，薬物の脱気によって生成され得る。小さい気泡は概して害がないものの、例えば、患者の目１０４の中へ注入された場合、カニューレ１２０のチャネル１６０に存在する逆止弁１４０、流量センサ１４４、および／または圧力センサ１４８の機能に影響を与える場合がある。したがって、気泡がチャネル１６０から進入することを防止することは、非常に望ましい。図１４に図示する通り、フィルタ１８８は、この目的のためにカニューレの細長い本体１８０の近位端１９２と統合され得る。より具体的には、パリレンメッシュであり得るフィルタ１８８は、例えば、生体適合性エポキシ接着剤を使用して、カニューレの細長い本体１８０の近位端１９２に結合され得る。代替として、フィルタ１８８は、カニューレのチャネル１６０を形成することに使用されるのと同一のパリレン層を使用して、カニューレ１２０と製作され統合され得る。
【００７３】
図１４に図示する通り、フィルタ１８８は、フィルタ１８８の中の流量抵抗を減少するように、チャネル１６０の流量断面より大きな断面を有し得る。一実施形態において、図１５に図示する通り、フィルタ１８８は、より大きい粒子および気泡が、カニューレ１２０のチャネル１６０へ通過することを防止するように、２μｍと同じくらい（例えば、開口部１９６は、１μｍから２μｍの断面の高さであり得る）の断面の寸法（例えば、高さ）をそれぞれ有する、開口部（例えば、チャネル）１９６を画定する。開口部１９６は、フィルタ１８８の中のパリレン杭２００の配列によって、図１４および１５に図示する通り、画定され得る。その上、パリレン杭２００の配列は、フィルタ１８８の上部および底部パリレン層の巻き付きを防止し得る。
【００７４】
（Ｃ．２．カニューレ用逆止弁）
一実施形態において、事前負荷力は、カニューレ１２０の逆止弁１４０に対する、事前設定されたクラッキング圧力（例えば、４ｐｓｉより大きい）を提供する。加えて、事前負荷力は、逆止弁１４０の中に効率的な密封を提供し、それによりカニューレ１２０を通る流体の逆流を防止することに役立つ。
【００７５】
そこへ印加される事前負荷力を有する逆止弁１４０が、製造の様々な段階で、図１６−１８に示されている。より具体的には、図１６は、乾燥される（例えば、空気中で）前の逆止弁１４０を図示している一方、図１７および１８は、乾燥された後の逆止弁１４０を図示している。一実施形態において、逆止弁１４０は、３つのパリレン層（例えば、密封ディスク２０４用の第１の層、弁座２０８用の第２の層、および静止摩擦力ダイヤフラム２２０用の第３の層）から構築されるが、代替の実施形態では、他の材料がまたパリレンの代わりに、またはパレリンに加えて使用され得る。おそらく（必ずしも必要ではないが）、３つの層に使用される材料は、可撓性があり、耐水性があり、生体適合性がある。
【００７６】
図１６−１８に図示する通り、逆止弁１４０の主要構造は、逆止弁座２０８の上部に設置される円形密封ディスク２０４を含む。逆止弁座２０８は、例えば、２０μｍ厚のパリレン層から構築され得、最初の段部２１２（例えば、厚さ１０μｍの）は、座層２０８に作り出され得る。一実施形態において、テザー２１６は密封ディスク２０４を包囲し、密封ディスク２０４を定位置に担持するように、静止摩擦力ダイヤフラム２２０の中心へ固着される２２４。テザー２１６は、例えば、パリレンから構築され得、それぞれのテザー２１６は略５μｍの厚さを有し得る。その部品に対して、静止摩擦力ダイヤフラム２２０は、弁座層２０８のより低いレベルへ固着される２２８。逆止弁１４０は、リソグラフィ（例えば、犠牲フォトレジスト層を使用して）、またはいずれか他の適切な手段によって作り出され得る。
【００７７】
パリレンは金属への接着が不十分であるため、金属層（例えば、Ｐｔ／Ａｕ５００Å／２５００Å、または異なる厚さを伴う他の金属）は、密封ディスク２０４と逆止弁座２０８との間の最初の接着を減少するように、蒸着され採用され得る。このように、最初に逆止弁１４０を開けることに必要とされる圧力は減少される。
【００７８】
一実施形態において、最後の製作段階として、溶剤の中に全フォトレジスト犠牲層を解放した後、静止摩擦力ダイヤフラム２２０は、図１６に示す通り、逆止弁密封座２０８と同一レベルである、その元の位置で浮遊し続けている。しかしながら、逆止弁１４０を乾燥（例えば、空気中で）した後、静止摩擦力（ある程度は、アンカー２２８および静止摩擦力ダイヤフラム２２０の柔らかいテザー２３６のため）が、逆止弁座２０８層の低レベルと静止摩擦力ダイヤフラム２２０との間に生じる。弁座２０８に向かう下向きの力（例えば、事前負荷力）はそれゆえ、図１７のテザー２１６の中の屈曲によって示す通り、テザー２１６を介して密封ディスク２０４上に作り出される。この事前負荷力を設定した後、結合剤２３２（例えば、エポキシ）が、静止摩擦力位置を永久に担持し、テザーアンカー２２４と静止摩擦力ダイヤフラム２２０との間の層間剥離を防止するように、塗布され得る。複数の貫通穴が、結合剤２３２が３つのパリレン層全てに到達するように結合剤２３２を適用する前に、密封ディスクアンカー２２４および静止摩擦力ダイヤフラム２００に形成され得る。
【００７９】
一実施形態において、マイクロ金属抵抗器ヒータは、３つのパリレン層間に包埋される。静止摩擦力が生じ、力が逆止弁密封接触部上に負荷された後、電流は３つのパリレン層を融解し、それらを一緒に接着するように、マイクロヒータに印加され得る。
【００８０】
操作において、逆止弁１４０は、治療部位からの流体が、カニューレ１２０を通って薬物貯留部１０８の中へ流れることを防止する一方で、薬物または他の流体が、カニューレ１２０を通して薬物貯留部１０８から治療部位まで流れることを可能にする、一方弁をカニューレ１２０に提供する。より詳細には、可撓性密封ディスク２０４は、密封ディスク２０４の上方および下方の差圧によって、弁座２０８に対して隣接するか、または可撓的にそこから延在し得るように、繋留される。例えば、弁座２０８を通って密封ディスク２０４の方へ流れる流体は、密封ディスク２０４を強制的に、弁座２０８から可撓的に延在させ（クラッキング圧力が超過される時）、それにより流体が、逆止弁１４０を通って通過することが可能となるであろう。反対に、反対方向に流れる流体は、密封ディスク２０４を強制的に弁座２０８対して密封して隣接させ、それにより流体が逆止弁１４０を通って流れることを防ぐ、差圧を作り出する。その結果、逆止弁１４０は、単純で効率的な一方向弁システムを、カニューレ１２０に提供する。
【００８１】
図１９は、逆止弁１４０、すなわちバンドパス構造を有する逆止弁１４０の代替実施形態を図示している。逆止弁１４０は、繋留場所２５２に繋留される、２つのダイヤフラム弁部分２４４、２４８を特徴としている。逆止弁１４０は、例えば、カニューレ１２０を通る流体流動を制御するように使用され得る（例えば、設定ポンプ圧力が流体に印加される時に、流体が前方向に流れることが可能になる、および／または後ろ方向の流体の逆流を防止することによって）。
【００８２】
操作において、逆止弁の１４０クラッキング圧力は、ポンプ１００が静止している時に、密封部分２４６を通る漏洩を防止するが、弁１４０は、ポンプ作用がクラッキング圧力を超える圧力を生成する時に、前方流を可能にするように開放されるであろう。流体が非常に高い（すなわち、異常な）圧力を経験する時（例えば、操作または埋め込み中に予期しない力によって）、逆止弁１４０は、前方流を遮断するであろう。加えて、逆止弁１４０は、眼圧に由来する逆行流を防止するであろう。
【００８３】
より詳細には、逆止弁１４０は、第１の、通常閉鎖されている弁２４４と、第２の、通常開放されている弁２４８とを含む。第１の弁２４４のクラッキング圧力の下方の前方圧力が、カニューレ１２０の中の流体に印加される場合、第１の弁２４４は閉鎖したままであろうし、流体も流れないであろう。しかしながら、第１の弁２４４のクラッキング圧力の上方の前方圧力が、カニューレ１２０の中の流体に印加される場合、第１の弁２４４は開くであろうし、流体は第１および第２の弁２４４、２４８の両方を通して流れるであろう。加えて、前方圧力が第２の弁２４８のクラッキング圧力を超過する場合、第２の弁２４８は閉鎖し、それによりそこを通る流体流動を防止するであろう。最後に、後方圧力がカニューレ１２０の中の流体に印加される場合、第１の弁２４４は閉鎖し、それによりカニューレ１２０に沿って逆流を防止するであろう。
【００８４】
ここで図２０Ａ−２０Ｃを参照すると、２ｐｓｉより大きいクラッキング圧力を有する、単一の、通常閉鎖している逆止弁１４０の実施形態は、流量センサ１４４のカニューレ１２０の上流へ統合される。前述同様に、本実施形態の逆止弁１４０は、カニューレ１２０の中の流体に印加される圧力が、クラッキング圧力より大きい時のみ開く。図２０Ｂおよび２０Ｃを参照すると、逆止弁１４０の逆止弁密閉リング２７６のためパリレン層は、弁座２８０の金層上に直接蒸着され得る（金表面に、例えば、さらなる自己組織化単層コーティングで）。金とパリレンとの弱い接着のため、この結合は容易に解放され、それにより逆止弁１４０が、クラッキング圧力が超過される時に開くことが可能になる。密閉リング２７６と弁座２８０との間に初期間隙がないので、逆流漏洩は不可能になる。
【００８５】
逆止弁１４０Ａ、１４０Ｂの代替実施形態が、図２１および２２に個々に示されている。逆止弁１４０Ａ、１４０Ｂは、クラッキング圧力が超過されると解放される、ダイヤフラム弁部分２８６、３００と、テザー２９２、３０４と、密封部分２９６、３０８とを含む。クラッキング圧力（すなわち、弁２８６、３００それぞれを開くための最小前方圧力）は、約２００ｍｍＨｇまたは４ｐｓｉであり得る。代替として、より高いまたはより低いクラッキング圧力が使用され得る。
【００８６】
（Ｃ．３．カニューレ用電気化学センサ）
一実施形態において、図２３に図示する通り、電気化学センサ３１２は、例えば、眼内空間、脳脊髄液、または脊椎等の標的部位の薬物濃度の体内での監視を提供するように、カニューレ１２０上（例えば、その遠位先端上のカニューレ１２０の外側）に配置される。図２３に図示する通り、センサ３１２は、患者の目１０４の中でのカニューレ１２０の埋め込み後、完全に眼内液に沈められるように、カニューレ１２０上に配置され得る。例えば、センサ３１２は、リニアボルタンメトリ、サイクリックボルタンメトリ、パルスボルタンメトリ、および他の技術等、よく知られる電気化学的検出原理に基づいて動作し得る。これらの技術は、概して、センサ３１２の活性電極３１６への電圧波形を変化させる用途に関する。電極３１６表面上での分子の酸化および還元は、作動流体の中のある電気化学的活性分子の濃度を判定するように、測定され使用されることができる、電流を生成する。
【００８７】
一実施形態において、センサ３１２は、最低限の２つの電極３１６を必要とする。電極３１６を形成することに使用され得る材料は、限定するものではないが、カーボン、白金、および金を含む。前述同様に、金属トレースは、電極３１６を制御回路１３２に電気的に接続するように、カニューレ１２０の長さに及んでもよい。金属トレースは、パリレンを使用して環境から絶縁され得る一方、センサ３１２の電極３１６は、薬物標的部位で流体と直接接触し得る。代替として、薄膜または分子はまた、それらの特性を修正し、ある分子に対するそれらの検出特異性を向上させるために、電極３１６に印加され得る。
【００８８】
様々な実施形態において、電気化学センサ３１２は、血管内皮増殖因子（“ＶＥＧＦ”）および全てのＶＥＧＦ誘導体（ＶＥＧＦ  Ａ等）等の増殖因子、サイトカイン（ＴＮＦα等）、ポンプ１００によって汲み出される薬物、またはそれ以外の方法で投与された（例えば、局所的に）薬物の濃度レベル、タンパク質、ならびに／あるいは糖（グルコース等）を感知するように使用される。加えて、電気化学センサ３１２は、脳脊髄液の、アスコルビン酸および酸素レベルを試験するために、ならびに／またはモル浸透圧濃度、糖レベル、および化学薬品を試験するために採用され得る。
【００８９】
本発明のある実施形態を記載してきたが、本願に記載の概念を組み込む他の実施形態が、本発明の精神および範囲から逸脱しない限りにおいて使用され得ることは、当業者には明らかであろう。したがって、記載する実施形態は、全ての点において、限定ではなく説明としてのみ考慮されるべきである。
【００９０】
以下は、特許請求の範囲である。
【図２】
2015163192.tif 000003
【図３】
2015163192.tif 000004
【図４】
2015163192.tif 000005
【図５】
2015163192.tif 000006
【図６】
2015163192.tif 000007
【図７】
2015163192.tif 000008
【図８】
2015163192.tif 000009
【図９】
2015163192.tif 000010
【図１０】
2015163192.tif 000011
【図１１】
2015163192.tif 000012
【図１２】
2015163192.tif 000013
【図１６】
2015163192.tif 000014
【図１７】
2015163192.tif 000015
【図１９】
2015163192.tif 000016
【図２０】
2015163192.tif 000017
【図２１】
2015163192.tif 000018
【図２２】
2015163192.tif 000019
【図２３】
2015163192.tif 000020
【図１Ａ】
2015163192.tif 000021
【図１Ｂ】
2015163192.tif 000022
【図１３】
2015163192.tif 000023
【図１４】
2015163192.tif 000024
【図１５】
2015163192.tif 000025
【図１８】
2015163192.tif 000026